(57)【特許請求の範囲】
【請求項１】
第１セットの第１タイプの複数のネットワークと第２セットの第２タイプの複数のネットワークとを有するマルチネットワーク通信システムにおいて通信するように選択的に動作可能である移動ノードにおいて使用される装置であって、該移動ノードは、該第２セットの第２タイプの１つのネットワークを含むホームネットワークに関連付けられており、該装置は、該移動ノードが該第１セットの第１タイプの１つのネットワークに無線接続されると、該移動ノードによる該第２セットの選択された１つのネットワークとの通信を開始し、
該装置は、決定器と識別器とを含み、
該決定器は、該移動ノードが該第１セットの第１タイプの１つのネットワークに無線接続されていることを示す情報を受信するように構成されており、該決定器は、該移動ノードに無線接続されていることが示された該第１セットの第１タイプの１つのネットワークが、該ホームネットワークに直接接続されているかどうかを決定するように構成されており、
該識別器は、該第１タイプの１つのネットワークと該ホームネットワークとが直接接続されているかどうかを示す該決定器による決定結果を受信するように構成されており、該識別器は、認証メッセージを生成するように構成されており、該認証メッセージは、該第１タイプの１つのネットワークと該ホームネットワークとが直接接続されていると該決定器が決定した場合に該移動ノードの認証を失敗させるとともに、関連メッセージを該第１セットの１つのネットワークに送信させる値を含み、該関連メッセージは、該第１セットのネットワークが該第２セットのネットワークのうちのどれとの関連性を維持するのかを識別するための情報を含む、装置。
【請求項２】
前記決定器が受信するように構成されている前記情報は、前記移動ノードに無線接続されている前記第１セットの第１タイプの１つのネットワークによって配信される、請求項１に記載の装置。
【請求項３】
前記第１タイプの複数のネットワークは、無線ローカルエリアネットワークを含み、前記第２タイプの複数のネットワークは、セルラーネットワークを含み、前記決定器は、前記移動ノードに無線接続されている該無線ローカルエリアネットワークが、該移動ノードに関連付けられているホームセルラーネットワークに直接接続されているかどうかを決定する、請求項１または２に記載の装置。
【請求項４】
前記識別器は、前記第１セットのネットワークが関連性を維持している前記第２セットのネットワークを識別するための情報を含む前記関連メッセージの配信を検出する識別応答検出器をさらに含む、請求項１に記載の装置。
【請求項５】
前記移動ノードは、該移動ノードの無線接続に従って認証手順を実行し、前記関連メッセージは、該認証手順に従って生成される、請求項４に記載の装置。
【請求項６】
前記移動ノードは、第１の値のネットワーク識別子によって該移動ノードに関連付けられている前記ホームネットワークにおいて識別され、該移動ノードに無線接続されている前記第１セットのネットワークが該ホームネットワークに直接接続されていないと前記決定器が決定した場合には、前記認証メッセージは、該第１の値のネットワーク識別子を含み、該第１セットのネットワークが該ホームネットワークに直接接続されていると該決定器が決定した場合には、該認証メッセージは、該第１の値とは異なる値のネットワーク識別子を含む、請求項４に記載の装置。
【請求項７】
前記第１の値とは異なる前記値のネットワーク識別子を含む前記認証メッセージを前記識別器によって生成することは、前記移動ノードの認証の失敗を引き起こす、請求項６に記載の装置。
【請求項８】
前記第２のタイプの複数のネットワークは、ルートネットワークアドレス識別子を認識するセルラーネットワークを含み、前記第１の値のネットワーク識別子は、前記ホームネットワークのルートネットワークアドレス識別子であり、前記第１の値とは異なる前記値のネットワーク識別子は、該ホームネットワークの該ルートネットワークアドレス識別子とは異なる値のルートネットワークアドレス識別子である、請求項６または７に記載の装置。
【請求項９】
前記決定器は、前記第１セットの第１タイプのネットワークとの直接接続を示す前記第２タイプのネットワークが存在する場合にはその第２タイプのネットワークを示す情報とともに、インデックスを付けられた該第１セットの第１タイプのネットワークを識別するための情報を含むリストをさらに含み、該決定器による決定は、該リストにアクセスすることによって行われる、請求項１〜８のいずれか一項に記載の装置。
【請求項１０】
前記移動ノードは、スキャン手順を実行することにより、前記第１セットの第１タイプのネットワークの利用可能性を定め、前記決定器が受信するように構成されている前記情報は、該スキャン手順に従って検出される信号を含む、請求項９に記載の装置。
【請求項１１】
第１セットの第１タイプの複数のネットワークと第２セットの第２タイプの複数のネットワークとを有するマルチネットワーク通信システムにおいて、移動ノードの通信を行う方法であって、該移動ノードは、該第２セットの第２タイプの１つのネットワークを含むホームネットワークに関連付けられており、該方法は、該移動ノードが該第１セットの第１タイプの１つのネットワークに無線接続されると、移動ノードによる該第２セットの選択された１つのネットワークとの通信を開始し、
該方法は、
該移動ノードが該第１セットの第１タイプの１つのネットワークに無線接続されていることを示す情報を受信する動作と、
該移動ノードに無線接続されている第１セットの第１タイプの１つのネットワークが、該ホームネットワークに直接接続されているかどうかを該移動ノードにおいて決定する動作と、
認証メッセージを生成する動作であって、該認証メッセージは、該第１セットの第１タイプの１つのネットワークと該ホームネットワークとが直接接続されているという決定がなされた場合に該移動ノードの認証を失敗させるとともに、関連メッセージを送信させる値を含み、該関連メッセージは、該第１セットのネットワークが該第２セットのネットワークのうちのどれとの関連性を維持するのかを識別するための情報を含む、動作と
を包含する、方法。
【請求項１２】
前記決定する動作の前に、前記第１セットの第１タイプのネットワークとの直接接続を示す前記第２タイプのネットワークが存在する場合にはその第２タイプのネットワークを示す情報とともに、インデックスを付けられた該第１セットの第１タイプのネットワークを識別するための情報を含むリストを前記移動ノードにおいて生成する動作をさらに包含する、請求項１１に記載の方法。
【請求項１３】
前記決定する動作は、前記生成する動作の間に生成された前記リストにアクセスすることを包含する、請求項１２に記載の方法。
【請求項１４】
前記移動ノードが第１のタイプのネットワークのどれに無線接続されているかを示す情報を配信する動作をさらに包含する、請求項１３に記載の方法。
【請求項１５】
前記アクセスする動作は、前記配信する動作の間に配信された前記情報にインデックスを付けられた前記第１タイプのネットワークに対応する前記リスト内のエントリーにアクセスすることを包含する、請求項１４に記載の方法。
【発明の詳細な説明】
【技術分野】
【０００１】
本発明は、概して、例えば、３ＧＰＰ（第３世代パートナーシッププロジェクト）ネットワークとＩ−ＷＬＡＮ（インターワーキング無線ローカルエリアネットワーク）との間のインターワーキングに従ったＷＬＡＮ（無線ローカルエリアネットワーク）を介して、選択されたＰＬＭＮ（公衆陸上移動網）をともなう移動ノードによって通信を促進（ｆａｃｉｌｉｔａｔｅ）する方法に関する。より詳細には、本発明は、ＷＬＡＮが移動ノードと関連付けられるＨＰＬＭＮに直接接続されているときにも移動ノードが通信することが可能である利用可能なＰＬＭＮの移動ノードで、情報を得る装置および方法に関する。
【０００２】
移動ノードと通信接続中であるＷＬＡＮが、移動ノードのＨＰＬＭＮ（ホーム公衆陸上移動網）に直接接続しているかどうか決定される。接続している場合、移動ノードは、ＷＬＡＮとの認証を失敗させ、移動ノードがＷＬＡＮを介して通信することができるＰＬＭＮを識別する移動ノードにＷＬＡＮがＰＬＭＮ情報を送信することを促進する。ＷＬＡＮがＨＰＬＭＮと直接接続しているためにもたらされるＨＰＬＭＮを有する移動ノードによる自動通信は避けられる。代わりに、移動ノードのユーザは、移動ノードが通信する利用可能なＰＬＭＮのうちから選択することができる。
【背景技術】
【０００３】
現代の通信システムは、通信技術の進歩から恩恵を受けている。既存の通信システムにおいてそのような進歩が実行されると、例えば、より効率的なデータ通信、より早い通信速度におけるデータ通信、あるいは、不利な通信条件においてデータ通信を成功させる方法で通信が改善される。また、通信技術の進歩は、新しいタイプの通信サービスの実施に備えて、新しいタイプの通信システムの発展を可能にする。通信技術の進歩は続くと思われるので、既存の通信システムとさらに他の新しい通信システムへの実施もまた、将来続くと思われる。
【０００４】
通信システムは、定期的に多くの人たちから利用されており、多くのユーザにとって、様々な通信システムのいずれかを介して通信するためのアクセスを整えておくことは必要である。ユーザが通信システム上でデータを通信することにより、データを別の場所に送信し、かつ、遠隔地から送信されるデータを受信する。
【０００５】
デジタル通信技術の進歩は、通信システム内で進められている技術的進歩のものである。デジタル通信技術を使用することにより、様々な通信の利点が得られる。例えば、通信されるデータ内の余分なものはデータ通信の前に取り除かれることにより、通信の効率性が改善される。通信能力を向上させることによって、通信システム内のデータのスループット率は、対応するアナログ通信システムが可能とするスループット率と比べて上昇する。
【０００６】
無線通信システムは、通信システムの例示的なタイプである。無線通信システムでは、無線通信システム内で動作可能な通信局が、無線通信チャネル上で伝達されたデータを送信および受信する。無線通信チャネルは、電磁スペクトル部分によって規定される。ワイヤライン接続を介して通信局と相互接続する必要がないので、無線通信システムは、ワイヤライン接続を介した通信局の相互接続が可能ではない、もしくは実用的ではない場所間の通信の実施を可能にする。加えて、無線通信システムは、移動通信システムとして実行可能であり、通信移動性を通信に提供する。
【０００７】
セルラー方式は、無線通信システムの例示的なタイプである。セルラー方式には、通信システムによって取り囲まれる地理的領域中に導入されるネットワーク部分が含まれ、このネットワーク部分はネットワークインフラと呼ばれる。
【０００８】
セルラー方式は、一般的に、オペレーティング規格に規定される動作上パラメータに準拠する。オペレーティング規格は、基準設定する規制機関によって公表される。また、規制機関は、代々のオペレーティング規格を公表してきており、各世代は、通信技術の進歩から利点を得ている。
【０００９】
複数世代のセルラー方式のネットワークインフラが導入されることにより、共通の地理的領域を取り囲み得る。また、例えば、異なるネットワークオペレータによって動作される同世代のセルラー方式のネットワークインフラは、共通の地理的領域にも導入され得る。
【００１０】
加えて、無線ローカルエリアネットワーク（ＷＬＡＮ）もまた、開発されおよび展開している。ＷＬＡＮもまた、無線通信システムであり、そのようなシステムは、セルラー方式の動作に類似する方法で、少なくとも様々な局面において動作可能である。無線ローカルエリアネットワークは、一般的に、セルラー方式が取り囲む領域より一般的に小さい領域を取り囲む小領域システムとして実行される。
【００１１】
無線ローカルエリアネットワークは、ある局面において、従来のローカルエリアネットワークを技術的に拡張したものである。すなわち、従来のローカルエリアネットワークおよび無線ローカルエリアネットワークは双方とも一般的に、パケットフォーマット化されたデータの通信を提供し、かつ、一般的に、データ量の多いパケット通信サービスを達成することができる。無線ローカルエリアネットワークの移動ノードは、従来のローカルエリアネットワークの固定ノードに類似しており、かつ、機能的に同等である。
【００１２】
無線ローカルエリアネットワークの通信プロトコルと、セルラー方式の通信プロトコルとは、必ずしも同じものではなく、同じではない場合が多い。移動ノードは、セルラー方式とＷＬＡＮとの両方において動作可能であるように設計されることがある。
【００１３】
移動ノードのユーザが通信サービスに従ってデータの通信を達成する場合、通信するネットワークを介してネットワークを選択しなければならない。無線ローカルエリアネットワークとセルラー方式のネットワークとの間のインターワーキングは継続しており、かつ、オペレーティングプロトコル標準は、開発中である。
【００１４】
一般的に、移動ノードが特定の無線ローカルエリアネットワークと通信接続中である場合に、移動ノードのユーザに、選択された場合は、移動ノードがセルラー方式ネットワークと通信することを可能にすることを許可し、この場合、移動ノードのユーザが、複数のセルラー方式ネットワークが無線ローカルエリアネットワークと関連づけられる場合に、どのセルラー方式ネットワークと通信するのか選択することをさらに可能にすることが所望される。移動ノードのユーザは、無線ローカルエリアネットワークによってそのような情報をブロードキャストする結果、無線ローカルエリアネットワークを介して通信するのに利用可能なセルラー方式ネットワークの指示が提供される。この情報は、例えば、認証手順に従って移動ノードに提供される。
【００１５】
移動ノードが通信接続にある無線ローカルエリアネットワークが、移動ノードのホーム公衆陸上移動網（ＨＰＬＭＮ）に直接接続している場合、移動ノードとＨＰＬＭＮとの間の通信が自動的に達成するので、移動ノードのユーザに情報を提供する既存の手順は、問題の影響を受けやすい。移動ノードのユーザには、移動ノードがどのセルラー方式ネットワークと通信するのかを選択する能力が与えられていない。
【００１６】
それ故、無線ローカルエリアネットワークが移動ノードのＨＰＬＭＮに直接接続しているときでさえユーザ選択を許可する改善された方法が要求される。
【００１７】
多重ネットワーク通信システムにおけるデータの通信に関する背景事情を踏まえて、本発明の著しい改善が判明した。
【発明の開示】
【課題を解決するための手段】
【００１８】
（本発明の要旨）
従って、本発明は、例えば、３ＧＰＰ（第３世代パートナーシッププロジェクト）ネットワークとＩ−ＷＬＡＮ（インターワーキング無線ローカルエリアネットワーク）との間のインターワーキングに従って、無線ローカルエリアネットワークを介して選択された公衆陸上移動網を有する移動ノードによって通信を促進する装置および方法を有利に提供する。
【００１９】
本発明の実施形態の動作を通して、無線ローカルエリアネットワークが、移動ノードと関連付けられるホーム公衆陸上移動網に直接接続される場合にさえ、移動ノードが通信することができる利用可能な公衆陸上移動網の移動ノードで情報を得る方法が提供される。
【００２０】
本発明の１つの局面において、移動ノードと通信接続する無線ローカルエリアネットワークが、移動ノードのホーム公衆陸上移動網に直接接続しているかどうか決定される。接続している場合、次いで、移動ノードは、認証を失敗させ、無線ローカルエリアネットワークは、移動ノードに公衆陸上移動網情報を送信することを促進する。この情報が、移動ノードが無線ローカルエリアネットワークを介して通信することができる公衆陸上移動網を識別する。
【００２１】
それによって、無線ローカルエリアネットワークがホーム公衆陸上移動網と直接接続するためにもたらされるホーム公衆陸上移動網を有する移動ノードによる自動通信が避けられる。ユーザは、通信できる公衆陸上移動網の情報を与えられ、移動ノードのユーザは通信できる利用可能なネットワークのうちどれを用いるか選択することが出来る。
【００２２】
移動ノードの動作中、移動ノードは、移動ノードが通信することができる無線ローカルエリアネットワークを検索する。移動ノードが行う検索は、例えば、場所を特定する信号をブロードキャストする無線ローカルエリアネットワークのアクセスポイント、または他の構造の周波数をスキャンすることを含む。移動ノードが、移動ノードとの通信接続を許可している無線ローカルエリアネットワークを検出すると、この移動ノードは、移動ノードと選択された無線ローカルエリアネットワークとの間の通信を許可する手順を開始する。移動ノードには、例えば、リスト上に含まれないネットワーク上で通信が好まれる、好ましい無線ローカルエリアネットワークを識別するリストが含まれる。
【００２３】
一実施において、移動ノードはまた、無線ローカルエリアネットワークと関連付けられるセルラー方式ネットワークを識別するリストを含む。移動ノードは、移動ノードが通信接続に入ることができる無線ローカルエリアネットワークを検出すると、リストがアクセスされ、そこに関連付けられたセルラー方式ネットワークが、移動ノードと関連付けられるホームネットワークであるかどうかを決定する。このリストはさらに、どのセルラー方式ネットワークが関連の無線ローカルエリアネットワークに直接接続しているかを示す。
【００２４】
リストへのアクセスに応答して、または別の方法で、選択された無線ローカルエリアネットワークが移動ノードと関連付けられるホームネットワークと直接接続しているかどうかについて決定される。無線ローカルエリアネットワークが、移動ノードのホームネットワークに直接接続している場合、移動ノードは、移動ノードがその認証を失敗させる認証手順を開始する。認証が失敗すると、無線ローカルエリアネットワークは、無線ローカルエリアネットワークと関連付けられ、かつ、無線ローカルエリアネットワークとの通信接続を介して移動ノードが通信することができるセルラー方式ネットワーク（すなわち、ＰＬＭＮ）の移動ノードにリストを提供する。
【００２５】
例示的な実施において、移動ノードは、移動ノードを適切に認証するルートネットワークアドレス識別子の値以外の値であるネットワークアドレス識別子（ＮＡＩ）を用いて認証手順を実行する。その他の値は、例えば、移動ノードに格納され、選択された無線ローカルエリアネットワークが、移動ノードと関連付けられるホームネットワークとの直接接続を維持している決定がされると、この値が検索される。あるいは、値は、無作為に生成され、任意の値、数値（ｎｕｍｅｒｉｃａｌ）または他の値は、ＮＡＩのドメイン部分のその他の値として用いられる。その他の値のネットワークアドレス識別子を送信することによって、認証は失敗する。また、無線ローカルエリアネットワークは、認証失敗に従って、移動ノードにどのセルラー方式ネットワークが無線ローカルエリアネットワークを介してアクセス可能であるのか示す。それによって、移動ノードのユーザは、利用可能なセルラー方式ネットワークの指示を提供され、ユーザは、選択された無線ローカルエリアネットワークを介して通信が成立するセルラー方式ネットワークから選択することが可能になる。
【００２６】
それ故、これら局面および他の局面において、マルチネットワーク通信システム内で通信するように選択的に動作可能である移動ノードの装置および方法が提供される。通信システムは、第１のタイプのネットワークの第１のセットと、第２のタイプのネットワークの第２のセットとを有する。移動ノードは、第２セットの第２タイプのネットワークを備えるホームネットワークと関連する。第１セットの第１タイプのネットワークとかつて通信接続性において接続された移動ノードによる通信は、第２セットの選択されたネットワークで促進される。決定器（ｄｅｔｅｒｍｉｎｅｒ）は、移動ノードが通信接続性において接続された第１セットのネットワークと、移動ノードと関連付けられるホームネットワークとの間の直接接続の指示（ｉｎｄｉｃａｔｉｏｎ）を受信するように構成される。決定器は、移動ノードが通信接続性において接続された第１セットのネットワークが、ホームネットワークと直接接続しているかどうかを決定する。識別器（ｉｄｅｎｔｉｆｉｅｒ）は、少なくとも、第１のネットワークとホームネットワークとの間の直接接続に関して決定器による決定に応答して動作可能である。識別器は、ネットワークの第２セットのネットワーク（存在する場合に）のうちどれが移動ノードと通信するのに利用可能であるかを識別する。
【００２７】
本発明は、さらに以下の手段を提供する。
【００２８】
（項目１）
第１セットの第１タイプのネットワークと第２セットの第２タイプのネットワークとを有するマルチネットワーク通信システムにおいて通信するために、選択的に動作可能である移動ノードのための装置であって、該移動ノードは、該第２セットの第２タイプのネットワークを備えるホームネットワークと関連付けられ、該装置は、該第１セットの第１タイプのネットワークと通信接続性において接続されると、該第２セットの選択されたネットワークとの該移動ノードによる通信を促進し、
該装置は、
該移動ノードにおいて具現化され、該移動ノードが通信接続性において接続される該第１セットのネットワークと、該移動ノードと関連付けられるホームネットワークとの間の直接接続の指示を受信するように適合された決定器であって、該決定器は、該移動ノードが通信接続性において接続される該第１セットのネットワークが、該ホームネットワークに直接接続されているかどうかを決定する決定器と、
該移動ノードにおいて具現化され、該第１のネットワークと該ホームネットワークとの間の直接接続に関して該決定器による決定の指示を受信するように適合された識別器であって、該識別器は認証メッセージを生成し、該認証メッセージは、該第１のネットワークの該ネットワークとの認証を失敗させるとともに、該第１セットのネットワークが関連性を維持する第２セットのネットワークを識別する関連メッセージを、該第１セットのネットワークに送信させる値を含む、識別器と
を備えた、装置。
【００２９】
（項目２）  
上記決定器が受信するように適合された上記指示は、上記移動ノードが上記通信接続性において接続される上記第１セットのネットワークによって配信される、項目１に記載の装置。
【００３０】
（項目３）
上記第１タイプのネットワークは、無線ローカルエリアネットワークを備え、上記第２タイプのネットワークは、セルラーネットワークを備え、上記決定器は、上記移動ノードと通信接続性において接続される該無線ローカルエリアネットワークが、該移動ノードと関連付けられるホームセルラーネットワークと直接接続しているかどうか決定する、項目１に記載の装置。
【００３１】
（項目４）  
上記識別器は、上記第１セットのネットワークが関連性を維持する上記第２セットのネットワークを識別する上記関連メッセージの配信を検出する識別応答検出器をさらに備える、項目１に記載の装置。
【００３２】
（項目５）  
上記移動ノードは、通信接続性において該移動ノードの接続に従って認証手順を実行し、上記識別器によって生成される上記関連メッセージは、該認証手順に従って生成される、項目４に記載の装置。
【００３３】
（項目６）  
上記移動ノードは、第１の値のネットワーク識別子によって該移動ノードと関連付けられる上記ホームネットワークで識別され、上記認証メッセージは、上記決定器が、該移動ノードと通信接続にある上記第１セットのネットワークが該ホームネットワークに直接接続していないと決定する場合、該第１の値の該ネットワーク識別子を含み、該認証メッセージは、該決定器が、該第１セットのネットワークが該ホームネットワークに直接接続していると決定する場合、代替的な（ａｌｔｅｒｎａｔｅ）値の該ネットワーク識別子を含む、項目４に記載の装置。
【００３４】
（項目７）  
上記識別器による上記代替的な値のネットワーク識別子を含む上記認証メッセージの生成は、上記移動ノードの認証の失敗を引き起こす、項目６に記載の装置。
【００３５】
（項目８）  
上記第２のネットワークは、ルートネットワークアドレス識別子を認知するセルラーネットワークを備え、上記第１の値のネットワーク識別子は、上記ホームネットワークのルートネットワークアドレス識別子を識別し、上記代替的な値のネットワーク識別子は、該ホームネットワークの該ルートネットワークアドレス識別子とは異なる値のルートネットワークアドレス識別子である、項目６に記載の装置。
【００３６】
（項目９）  
上記決定器は、上記第１セットの第１タイプのネットワークとの直接接続を示す上記第２タイプのネットワークがもし存在する場合、該第２タイプのネットワークの指示とともにインデックスを付けられた該第１セットの第１タイプのネットワークを識別するリストをさらに備え、該決定器による決定は、該リストへのアクセスによってなされる、項目１に記載の装置。
【００３７】
（項目１０）  
上記移動ノードは、スキャン手順を実行することにより、上記第１セットの第１タイプのネットワークの利用可能性を定め、上記決定器が受信するように適合された上記指示は、該スキャン手順に従って検出される信号を備える、項目９に記載の装置。
【００３８】
（項目１１）  
第１セットの第１タイプのネットワークと第２セットの第２タイプのネットワークとを有するマルチネットワーク通信システムにおいて、移動ノードの通信を促進する方法であって、該移動ノードは、該第２セットの第２タイプのネットワークを備えるホームネットワークと関連付けられ、該方法は、該移動ノードが該第１セットの第１タイプのネットワークと通信接続性において接続されると、該第２セットの選択されたネットワークを用いて移動ノードによる通信を促進し、
該方法は、
該移動ノードが通信接続性において接続される第１セットのネットワークが、ホームネットワークに直接接続しているかどうかを該移動ノードで決定する動作と、
第１のネットワークのネットワークとの認証を失敗させるとともに、該第１セットのネットワークに該第１セットのネットワークが関連性を維持する第２セットのネットワークを識別する関連メッセージを送信させる値を含む認証メッセージを生成する動作と
を包含する、方法。
【００３９】
（項目１２）  
上記決定する動作の前に、上記第１セットの第１タイプのネットワークと直接接続を示す上記第２タイプのネットワークがもし存在する場合、該第２タイプのネットワークの指示とともにインデックスを付けられた該第１セットの第１タイプのネットワークを識別する上記移動ノードにおけるリストを生成する動作をさらに包含する、項目１１に記載の方法。
【００４０】
（項目１３）
上記決定する動作は、上記生成する動作の間に生成された上記リスティングにアクセスすることを包含する、項目１２に記載の方法。
【００４１】
（項目１４）  
上記移動ノードが通信接続性において接続される第１タイプのネットワークに、指示を配信する動作をさらに包含する、項目１３に記載の方法。
【００４２】
（項目１５）  
上記アクセスする動作は、上記配信する動作の間に配信された上記指示によって識別される上記第１タイプのネットワークと対応する上記リスティング内のエントリーにアクセスすることを包含する、項目１４に記載の方法。
【００４３】
（項目１６）  
移動局によってネットワーク発見を実行する方法であって、
ネットワークに、ホームネットワーク内でルーティング不可と知られるメッセージを送信することと、
該ネットワークから、該送信されたメッセージへの応答を受信することと
を包含する、方法。
【００４４】
（項目１７）  
上記送信する動作中に送信された上記メッセージは、代替的なネットワークアドレス識別子を備える、項目１６に記載の方法。
【００４５】
（項目１８）  
上記送信する動作中に送信されたルーティング不可と知られる上記メッセージの上記ホームネットワークは、上記移動局のホームネットワークを備える、項目１６に記載の方法。
【００４６】
（項目１９）  
上記送信する動作中に上記メッセージが送信される上記ネットワークは、無線ローカルエリアネットワークを備え、かつ、上記ホームネットワークは公衆陸上移動網を備える、項目１６に記載の方法。
【００４７】
（項目２０）  
上記受信する動作中に受信された上記送信されたメッセージへの応答は、該メッセージが送信された上記ネットワークと関連付けられる公衆陸上移動網の識別（ｉｄｅｎｔｉｆｉｃａｔｉｏｎ）を備える、項目１６に記載の方法。
【００４８】
（項目２１）  
移動局によってネットワーク発見を実行する装置であって、
ネットワークに、ホームネットワーク内でルーティング不可と知られるメッセージを送信する手段と、
該ネットワークから、該送信されたメッセージへの応答を受信する手段と
を備える、装置。
【００４９】
（項目２２）  
上記送信する手段によって送信された上記メッセージは、代替的なネットワークアドレス識別子を備える、項目２１に記載の装置。
【００５０】
（項目２３）  
通信する第２のネットワークタイプのネットワークの第２のネットワークタイプの選択を促進する移動ノード装置であって、
第１のメッセージを生成するように構成されたメッセージジェネレータであって、該第１のメッセージは、代替的なネットワークアドレス識別子の値を選択可能なように含み、該第１のメッセージは、該代替的なネットワークアドレス識別子の値を含む場合、通信するのに選択できる第２のネットワークタイプのネットワークの識別の該移動ノードへの配信を促進するのに用いられる、メッセージジェネレータを備える、装置。
【００５１】
（項目２４）  
上記第２のネットワークタイプは公衆陸上移動網（ＰＬＭＮ）を備え、上記メッセージジェネレータによって生成された上記第１のメッセージは、通信するのに選択できる公衆陸上移動網の識別の上記移動ノードへの配信を促進するのに用いられる、項目２３に記載の移動ノード装置。
【００５２】
（項目２５）  
上記移動ノードは、選択された第１のネットワークタイプのネットワークを介して通信し、上記メッセージジェネレータによって生成された上記第１のメッセージは、該選択された第１のネットワークタイプのネットワークに伝達される、項目２４に記載の移動ノード装置。
【００５３】
（項目２６）  
通信するのに選択できる上記第２のネットワークタイプのネットワークの上記識別を受信するように構成される受信器をさらに備える、項目２３に記載の移動ノード装置。
【００５４】
（項目２７）  
上記第２のネットワークタイプのネットワークの上記識別の上記受信器による受信に応答する該第２のネットワークタイプのネットワークが選択される、項目２６に記載の移動ノード装置。
【００５５】
（項目２８）  
通信する第２のネットワークタイプのネットワークの第２のネットワークタイプの選択を促進する方法であって、
代替的なネットワークアドレス識別子の値を選択可能なように含む第１のメッセージを生成する動作と、
該第１のメッセージに応答して、通信するのに選択できる第２のネットワークタイプのネットワークの識別（ｉｄｅｎｔｉｆｉｃａｔｉｏｎ）の配信を検出する動作と
を包含する、方法。
【００５６】
（項目２９）  
上記第１のメッセージを生成する動作は、該第１のメッセージに上記代替的なネットワークアドレス識別子の値を含むように選択し、該第１のメッセージに該代替的なネットワークアドレス識別子を含ませる動作を包含する、項目２８に記載の方法。
【００５７】
（項目３０）  
上記配信されることを検出する動作中に検出された上記第２のネットワークタイプのネットワークの上記識別から、該第２のネットワークタイプのネットワークを移動ノードのユーザによって選択する動作をさらに包含する、項目２８に記載の方法。
【００５８】
（項目３１）  
上記代替的なネットワークアドレス識別子の値は、上記移動ノードの認証を失敗させる値のものである、項目２８に記載の方法。
【００５９】
（項目３２）  
配信が上記検出する動作中に検出される上記第２のネットワークタイプのネットワークの上記識別は、上記移動ノードの失敗した認証に応答する応答メッセージの部分を備える、項目３１に記載の方法。
【００６０】
（項目３３）
通信する第２のネットワークタイプのネットワークの第２のネットワークタイプの選択を促進するネットワーク装置であって、
第１のメッセージを検出するように構成されたメッセージ検出器であって、該第１のメッセージは、代替的なネットワークアドレス識別子の値を選択可能なように含み、該第１のメッセージは、代替的なネットワークアドレス識別子の値が含まれる場合、通信するのに選択できる第２のネットワークタイプネットワークの識別を促進するのに用いられるメッセージ検出器を備える、装置。
【発明を実施するための最良の形態】
【００６１】
以下に簡潔にまとめられた添付の図面と、本発明の現在の好ましい実施形態に関する以下の詳細な説明と、添付の請求項とから発明および本発明の範囲をより完璧に理解することができる。
【００６２】
はじめに図１を参照して、一般的に参照符号１０と示された通信システムは、移動ノードを有する無線通信を提供し、この移動ノード１２は代表的なものである。この移動ノードはデュアルモードを形成しており、移動ノードは、第１の方法と、少なくとも第２の方法とで動作が可能である。例示的な実施において、移動ノードは単独で、ＩＥＥＥ  ８０２．１１（ｂ）、または、種々のオペレーティング規格、および３ＧＰＰ（第３世代パートナーシッププロジェクト）オペレーティング規格に従って動作可能である。他の実施において、移動ノードは、他のオペレーティング規格に従って動作可能である。つまり、より広くは、移動ノードは、任意の１つ以上のオペレーティング規格に従って動作可能であり、例えば、任意のＷＬＡＮ（無線ローカルエリアネットワーク）通信スキームと任意のセルラー方式通信スキームとに従って動作可能である。従って、本発明の実施形態の例示的な動作に関する以下の説明は、データがＩＥＥＥ  ８０２．１１（ｂ）と３ＧＰＰオペレーティング規格とのオペレーティングプロトコルに従って通信される実施に関して記載されるが、本発明の実施形態の動作は、例えば、ＩＳ−９５およびｃｄｍａ  ２０００標準といったｃｄｍａベース標準を含む他のオペレーティング規格に従って動作可能である通信システムにおいても同様に動作可能である。例示的な動作に関する以下の説明は、それ故、例を挙げているのであって、制限するためのものではない。
【００６３】
この通信システムには、ネットワークインフラが含まれており、ここでは多重ネットワークの形をしている。あるネットワークは、無線ローカルエリアネットワークオペレーティング規格、ここでは、ＩＥＥＥ  ８０２．１１（ｂ）オペレーティング規格に従って動作可能であり、別のネットワークは、セルラー方式オペレーティング規格、ここでは、３ＧＰＰオペレーティング規格に従って動作可能である。図の例示的な説明において、４つの無線ローカルエリアネットワーク１４が示されており、２つのセルラー方式ネットワーク１６が示されている。無線ローカルエリアネットワーク１４のうち３つ（ネットワーク１４−１、１４−２、および１４−３）は、共通領域（ここでは、セル１８−１−３と示される）を取り囲むように展開する。また、さらなる無線ローカルエリアネットワーク１４−Ｎもまた図示されており、ここでは、セル１８−Ｎと表される別の領域を取り囲む無線ローカルエリアネットワークの代表である。無線ローカルエリアネットワーク１４はそれぞれ、無線ローカルエリアネットワークとセルラー方式ネットワーク（ここでは、セルラー方式ネットワーク１６）との間のインターワーキングを促進するインターワーキングユニット（ＩＷＵ）２２を含む。インターワーキングユニットは、例示的な実施において、３ＧＰＰで定められたオペレーティングパラメータに準拠して動作可能である。無線ローカルエリアネットワーク１４−１は、セルラーシステムネットワーク１６−１と直接接続している。また、無線ローカルエリアネットワーク１４−２は、セルラーシステムネットワーク１６−２と直接接続している。ネットワーク１６−１とネットワーク１６−２とは接続している。また、それにより、無線ローカルエリアネットワーク１４−１は、セルラーシステムネットワーク１６−２にも間接的に接続している。また、無線ローカルエリアネットワーク１４−２も、セルラーシステムネットワーク１６−１に間接的に接続している。
【００６４】
移動ノード１２は、前述したように、無線ローカルエリアネットワークおよびセルラーシステムネットワークが動作可能であるオペレーティング規格に従って動作可能である。移動ノードは、トランシーバー回路（ここでは、送信部２６および受信部２８と示される）を含む。トランシーバー回路は、オペレーティング規格に定められたプロトコルに従って動作する従来の方法で、無線エアーインターフェースを介して移動ノードが位置づけられる選択されたネットワークのサービスエリア（ｃｏｖｅｒａｇｅ  ａｒｅａ）内で選択されたネットワークと通信接続を形成し、かつ、データ通信を達成するように動作可能である。
【００６５】
移動ノードは図示されるように位置づけられると、無線ローカルエリアネットワーク１４−１、１４−２、および１４−３のサービスエリア内に位置づけられている。移動ノードが通信を開始すると、移動ノードは、そのようなネットワークによってブロードキャストされる信号によってチャネルをスキャンすることによって、無線ローカルエリアネットワークの利用可能性をスキャンする移動ノードは、例示的な実施において、移動ノードが通信を試みることを許可されるＷＬＡＮを識別するＷＬＡＮスキャンリスト３２を含む。１つの実施において、移動ノードは、複数のスキャンリストを含む。このリストには、例えば、好ましいＷＬＡＮリストと、移動ノードのホームネットワークへの直接接続性を提供するＷＬＡＮとが含まれる。好ましいＷＬＡＮを識別するリストは、ここで、ホームＷＬＡＮを識別するリストと呼ばれる。このリストは、例えば、リストされた無線ローカルエリアネットワークが制御情報または他の情報をブロードキャストする周波数を識別する。ネットワーク間のインターワーキングに従って、移動ノードは、無線ローカルエリアネットワークを介して、セルラーシステムネットワーク、すなわち、通信システムネットワークに結合する通信局と通信することが可能である。移動ノードは、準拠するセルラーシステムネットワークとの通信を許可され、例えば、サービス申し込みで通信することを許可される。サービス申し込みに従って、ホームネットワークが移動ノードと関連づけられ、典型的には、移動ノードが最も定期的に位置づけられるネットワークのサービスエリアにおけるネットワークが関連付けられる。ここでは、移動ノード１２のホームネットワークを形成するネットワークは、ネットワーク１６−２であり、移動ノードと関連付けられるＨＰＬＭＮ（ホーム公衆陸上移動網）と確認される。移動ノードと関連付けられるホームネットワークではない他のセルラーシステムネットワークは、訪問したネットワークと呼ばれる。ここで、ネットワーク１６−１は、ＶＰＬＭＮ（訪問した公衆陸上移動網）と確認される。
【００６６】
前述したように、ネットワーク１４とネットワーク１６との間のインターワーキングは、通常、無線ローカルエリアネットワークが関連性を維持するセルラーシステムネットワークの無線ローカルエリアネットワークとかつて通信接続中にある移動ノードに通知を提供する。情報が移動ノードに送られると、移動ノードのユーザは、どのセルラーシステムネットワーク（もし存在する場合）で通信を成立させるか選択することができる。既存の提案および実践に従って、移動ノードは移動ノードが選択された無線ローカルエリアネットワークとの認証を試みる関連手順に従って、関連のセルラー方式ネットワークに関する情報を提供される。認証の試みが失敗し、認証の失敗に従って、移動ノードは、無線ローカルエリアネットワークが関連付けられるセルラー方式ネットワークの指示を提供される。しかしながら、無線ローカルエリアネットワークが、移動ノードと関連付けられるホームセルラー方式ネットワークと直接接続にあると、移動ノードは、移動ノードのユーザが通信するのにどのセルラー方式ネットワークにするか選択することを可能にする関連のネットワークが与えられない。それ故、既存の動作は、無線ローカルエリアネットワークが移動ノードのホームネットワークに直接接続している場合、移動ノードのユーザが、通信するセルラー方式ネットワークを選択する能力を制限する。
【００６７】
本発明の実施形態の動作に従って、移動ノードが通信接続中で関連付けられる無線ローカルエリアネットワークが、移動ノードのホームセルラー方式ネットワークに直接接続しているときでさえ、通信するセルラー方式ネットワークの選択をユーザに提供する方法が提供される。移動ノードのユーザは、それにより、移動ノードのホームネットワークが移動ノードが通信接続中で関連付けられる無線ローカルエリアネットワークに直接接続しているかどうかにかかわらず、どの利用可能なセルラー方式ネットワークで通信するのか選択する機会が与えられる。
【００６８】
移動ノードは、本発明の実施形態の装置４２をさらに含む。装置４２は、例えば、プロセッシング回路によって実行可能なアルゴリズムを含む所望の方法で、実行できる機能エンティティで形成される。
【００６９】
装置は、移動ノードが通信接続にある無線ローカルエリアネットワークが、移動ノードと関連付けられるホームセルラー方式ネットワークに直接接続しているかどうかを決定するように動作する決定器４４を含む。また、装置は、移動ノードが通信接続にある無線ローカルエリアネットワーク（もし存在する場合）のうち、どれが移動ノードと通信するのに利用可能であるかを識別する識別器を含む。識別器は、少なくとも決定器による決定に応答して動作可能であり、この決定器はここで、ライン４８を介して識別器に提供されるものと示されている。
【００７０】
例示的な実施において、決定器は、例えば、無線ローカルエリアネットワークのＳＳＩＤ（サービスセット識別子）値によって無線ローカルエリアネットワークを識別するエントリーと、各エントリーと関連して、無線ローカルエリアネットワークが移動ノードと関連付けられるホームセルラー方式ネットワークに直接接続しているかどうかの指示とから形成される直接接続リスティング５２を含む。リスティングは、例えば、移動ノードの初期の供給中そこに提供される移動ノードに永久に格納され、または、リストは（Ｕ）ＳＩＭまたはＲ−ＵＩＭ上に格納される。１つの実施において、リスティングは、リスティングを形成するエントリーとの直接接続の識別を更新するように更新可能であり、ならびに、リスティングからのエントリーを追加または除去をすることができる。他の例示的な実施において、リスティング５２は、ホームＷＬＡＮを識別する。
【００７１】
決定器は、移動ノードが通信接続にある無線ローカルエリアネットワークの指示、ここでは、ライン５４で表示される指示を受信し、この指示は、アクセス機構とコンパレータ５６に提供される。ライン５４に提供された指示は、例えば、ＷＬＡＮスキャンリスト３２上にリストされた無線ローカルエリアネットワークによって情報ブロードキャストの検出に基づいて移動ノードの受信部分によって提供される。
【００７２】
アクセス機構およびコンパレータ５６は、リスティング５２にアクセスし、ライン５４に提供された指示とともにそこに格納された値を比較する。この比較に応答して、ライン５４に送られた指示が、エントリー内で識別されるネットワークが移動ノードと関連付けられるホームネットワークに直接接続していることを識別するリスティング５２上のエントリーに対応するかどうかについて決定される。
【００７３】
比較の結果は、ライン４８上で、例示的な実施において、認証メッセージジェネレータ６２を含む識別器に提供される。この識別器はまた、ルートネットワークアドレス識別子（ＲＮＡＩ）の値を格納するメモリエレメントも含む。メモリエレメント６４に格納されたルートネットワークアドレス識別子は、移動ノードと関連付けられるホームセルラー方式ネットワークを正確に識別する値のものである。また、メモリエレメント６６に格納された値は、異なる値、すなわち、不正確に、または誤ってホームネットワークを識別する値のものである。言い換えると、異なる値は代替値である。
【００７４】
代替的な実施において、ネットワークアドレス識別子の異なる値は無作為に生成され、かつ、メモリエレメント６６は無作為な値ジェネレータに代替される。
【００７５】
ライン４８上に提供された指示が、移動ノードが通信接続にあるＷＬＡＮは、移動ノードと関連付けられるホームネットワークへの直接接続を有さないことを識別する場合、ホームネットワークに関連付けられ、メモリエレメント６４に格納されたルートＮＡＩは、認証手順に従って認証メッセージジェネレータが検索し、使用する。しかしながら、決定器が、ＷＬＡＮは移動ノードと関連付けられるホームネットワークに直接接続していることを決定する場合、ネットワークアドレス識別子の値はメモリエレメント６６から検索され、認証メッセージジェネレータが認証手順に従ってこの値を使用する。正しいネットワークアドレス識別子が用いられるが、ＷＬＡＮは移動ノードのホームネットワークに直接接続していない場合、認証は失敗する。また、ＷＬＡＮがホームネットワークに直接接続している場合、誤ったネットワークアドレス識別子により認証は失敗する。他の実施において、メモリエレメント６６に格納された代替値は、ＷＬＡＮが移動ノードのホームネットワークに直接接続しているかどうかに関係なく常に利用される。ここでもまた、認証は失敗する。また、決定器による決定は避けられる。
【００７６】
失敗した認証に応答して、ＷＬＡＮは、ＷＬＡＮが関連性を維持するセルラー方式ネットワークの識別を含む移動ノードにメッセージを送信する。また、移動ノードのユーザは、リターンされた識別から、移動ノードが次に通信するセルラー方式ネットワークを選択することができる。
【００７７】
代替的な実施において、リストは、周知のＷＬＡＮと、ＷＬＡＮのそれぞれのＰＬＭＮの関連との移動ノードに維持される。リスト上に記されたＷＬＡＮが位置づけられると、ＷＬＡＮと関連付けられるセルラーシステムネットワークに関する情報を得るのに使用される認証手順は実行されず、リストに格納されたＨＰＬＭＮ情報が移動ノードのユーザに提供される。また、他のＮＡＩを用いる認証手順は、ＷＬＡＮと関連付けられるセルラーシステムネットワークに関する情報を得るのに必要とされない。
【００７８】
図２Ａは、移動ノード１２で具現化された装置４２（図１に示される）の部分を形成する直接接続リスティング５２の代表を示す。リスティングは、例示的であり、かつ、ここでは複数のエントリー７２から形成されたように示される。図１に示された例示的な通信システムに関して、無線ローカルエリアネットワーク１、２、３、およびＮと関連付けられる４つのエントリーがリスティングを形成する。各エントリーは、第１の列７６において、無線ローカルエリアネットワークのそれぞれを識別するサービスセット識別子（ＳＳＩＤ）で識別される。また、指示が関連付けられるＷＬＡＮのサービスセット識別子とともにインデックスを付けられた列７８に指示が記される。ここで、第２のＷＬＡＮ１４−２のＳＳＩＤは、移動ノードと関連付けられるホームネットワークに直接接続している。また、列７８は、直接接続の指示を含む。
【００７９】
図２Ｂは、さらなる本発明の実施形態に従って、移動ノード１２で具現化されるリスティング５２を示す。ここで、エントリーは、ＷＬＡＮ２（すなわち、図１に示されたＷＬＡＮ１４−２）と識別されるエントリー７２を含む。ここで、リスティング内にＷＬＡＮ２の含有物は、ＷＬＡＮが移動ノードのＨＰＬＭＮと直接接続を有することを識別する。
【００８０】
図３は、図１に示された通信システム１０の例示的な動作を代表するメッセージシーケンス図を示す。ここで、無線ローカルエリアネットワーク１４−１、１４−２、および１４−３は、移動ノードによって検出される信号をブロードキャストする。信号は、図においてセグメント８２−１、８２−２、および８２−３と示される。移動ノードは、（図１に示される）ＷＬＡＮスキャンリスト３２にアクセスすることにより、どのチャネルにチューニングするかを決定する。また、識別されたチャネルにチューニングすることによって、移動ノードは、ブロック８６で示される送信済み信号を検出する。
【００８１】
移動ノードは、直接接続リスティング（図１に示される）にアクセスする。ここで、ブロック８８で示されるようにアクセスおよび比較が実行される。比較に応答して、移動ノードが通信接続にある無線ローカルエリアネットワークかどうかについて決定され、ここでは、無線ローカルエリアネットワーク１４−２であると選択され、認証メッセージが生成され、セグメント９２で示されるように無線ローカルエリアネットワーク１４−２に送信される。ネットワーク１４−２は、ネットワーク１６‐２（ここでは、移動ノードと関連付けられるホームネットワーク）に直接接続しているので、認証が失敗する。認証失敗応答９４は、ネットワーク１４−２が関連性を維持するネットワークの指示とともに移動ノードに提供される。移動ノードで受信されると、利用可能なネットワークの指示が、ブロック１０２で示されるように、移動ノードのユーザに表示され、また、ブロック１０４で示されるように、ユーザは、移動ノードが通信する利用可能なネットワークの中から選択する。
【００８２】
図４は、本発明の実施形態の動作方法の代表である方法を示し、概して１１２で示す。この方法は、第１セットの第１タイプのネットワークと第２セットの第２タイプのネットワークとを有するマルチネットワーク通信システムにおいて移動ノードの通信を促進する。移動ノードは、第２セットの第２タイプのネットワークを備えるホームネットワークと関連付けられる。移動ノードが第１セットの第１タイプのネットワークと通信接続性において接続されると、この方法は、第２セットの選択されたネットワークを用いて移動ノードによる通信を促進する。
【００８３】
はじめに、ブロック１１４で示されるように、移動ノードが通信接続性において接続される第１セットのネットワークがホームネットワークに直接接続しているかどうか決定される。
【００８４】
次に、ブロック１１６で示されるように、ネットワークの第２セットのネットワーク（もし存在する場合）のうち、移動ノードと通信するのにどれが利用可能であるかについて識別される。
【００８５】
それにより、本発明の実施形態の動作を通して、移動ノードのユーザが、移動ノードが通信するセルラー方式ネットワークを選択することができる方法が提供される。移動ノードと関連付けられるホームネットワークが、移動ノードが伝達する無線ローカルエリアネットワークに直接接続しているかどうかに関係なく、選択が可能である。
【００８６】
前述の説明は、本発明を実施する好ましい例であり、本発明の範囲はこの説明によって必ずしも制限されるべきではない。本発明の範囲は、本明細書中の請求範囲により規定される。
【図面の簡単な説明】
【００８７】
【図１】本発明の実施形態が動作可能である多重ネットワーク通信システムの機能ブロック図を示す。
【図２】図２Ａおよび図２Ｂは、無線ローカルエリアネットワークを識別し、かつ、その無線ローカルエリアネットワークが、移動ノードと関連付けられるホームネットワークとの直接接続を維持しているどうかを識別する移動ノードに維持されるリスティングの図を示す。
【図３】本発明の実施形態に従って図１に示された通信システムの例示的な動作中に生成されたシグナリングを表すメッセージ連続図を示す。
【図４】本発明の実施形態の動作の方法を列挙する方法フロー図を示す。
【符号の説明】
【００８８】
１０  通信システム
１２  移動ノード
１４  無線ローカルエリアネットワーク
１６  セルラー方式ネットワーク
２２  インターワーキングユニット（ＩＷＵ）
２６  送信部
２８  受信部
３２  ＷＬＡＮスキャンリスト
４４  決定器
４６  識別器
４８  ライン
５２  リスティング
５４  ライン
５６  アクセス機構とコンパレータ
６２  認証メッセージジェネレータ
６４  メモリエレメント
６６  メモリエレメント
７２  エントリー
【図１】
0004528225.tif 000002
【図２】
0004528225.tif 000003
【図３】
0004528225.tif 000004
【図４】
0004528225.tif 000005